(57)【要約】【課題】構成を複雑化しないで、互いに隣接する第１，第２意匠を互いに異なる色で、混色を目立ち難くして表示可能な液晶表示装置を提供する。【解決手段】液晶表示装置１は、互いに隣接する透光状態の第１，第２意匠２１，２２を表示する液晶パネル２と、液晶パネル２の背後に配置され、第１，第２意匠２１，２２を、それぞれ、透過照明する第１，第２光源５１，５２と、液晶パネル２の背後であって第１，第２光源５１，５２の間に配置され、第１，第２光源５１，５２の光が、それぞれ、第２，第１意匠２２，２１へ漏光することを抑える仕切り壁７と、を備え、第１，第２光源５１，５２の光を、これらを混色させた光が、第１光源５１の光に対するよりも、第２光源５２の光に対する方が目立ち難くなるように設定し、仕切り壁７を、第１意匠２１よりも第２意匠２２に近接させて配置している。【選択図】図４
2010085460.tif 000002
【特許請求の範囲】
【請求項１】
互いに隣接する透光状態の第１意匠と透光状態の第２意匠とを表示する液晶パネルと、
前記液晶パネルの背後であって前記第１意匠の背後側に配置され、前記第１意匠を透過照明する第１光源と、
前記液晶パネルの背後であって前記第２意匠の背後側に配置され、前記第２意匠を透過照明するとともに、前記第１光源と異なる色の光を発する第２光源と、
前記液晶パネルの背後であって、前記第１光源と前記第２光源の間に配置され、前記第１光源が発した光が前記第２意匠へ漏光することを抑えるとともに、前記第２光源が発した光が前記第１意匠へ漏光することを抑える仕切り壁と、を備え、
前記第１光源の発する光と前記第２光源の発する光とを、前記第１光源の発した光と前記第２光源の発した光とを混色させた光が、前記第１光源の発した光に対するよりも、前記第２光源の発した光に対する方が目立ち難くなるように設定し、
前記仕切り壁を、前記第１意匠と前記第２意匠の間において、前記第１意匠よりも前記第２意匠に近接させて配置していることを特徴とする液晶表示装置。
【請求項２】
前記第１光源の発する光を白色光に設定し、前記第２光源の発する光を有色光に設定していることを特徴とする請求項１に記載の液晶表示装置。
【請求項３】
前記第１光源が発した白色光を、前記第２光源が発した有色光と同系色の光に着色する着色層を、前記液晶パネルの裏面側であって前記第２意匠の裏面側に、形成していることを特徴とする請求項２に記載の液晶表示装置。
【請求項４】
前記仕切り壁と前記液晶パネルとの間に配置され、前記第１光源の発した光を拡散させて前記第１意匠へ均一に導くとともに、前記第２光源の発した光を拡散させて前記第２意匠へ均一に導く光拡散板を備え、
前記仕切り壁の一端を、前記光拡散板に当接させていることを特徴とする請求項１〜３のいずれか一項に記載の液晶表示装置。
【請求項５】
前記仕切り壁が前記光拡散板に当接している部位において前記液晶パネルと前記光拡散板の間に、変形に対して反発弾性の小さい変形吸収部材を介在させていることを特徴とする請求項４に記載の液晶表示装置。
【請求項６】
前記変形吸収部材を、黒色の遮光性部材としていることを特徴とする請求項５に記載の液晶表示装置。
【発明の詳細な説明】
【技術分野】
【０００１】
本発明は、互いに隣接する第１，第２意匠を互いに異なる色で表示する液晶表示装置に関するものである。
【背景技術】
【０００２】
互いに隣接する透光状態の第１，第２意匠とが形成された表示板と、第１意匠を透過照明する第１光源と、第２意匠を透過照明する第１光源と異なる色の光を発する第２光源とを備え、互いに隣接する第１，第２意匠を、互いに異なる色で表示する表示装置が開示されている（特許文献１を参照）。
【０００３】
この表示装置では、仕切り壁を、第１，第２光源の間に設けるとともに、２枚の第１偏光板を第１光源と第１意匠の間に平行に配置し、２枚の第２偏光板を第２光源と第２意匠の間に平行に配置している。仕切り壁は、第１光源が発した光が第２意匠へ漏光することを抑えるとともに、第２光源が発した光が第１意匠へ漏光することを抑えるものである。
【０００４】
第１，第２偏光板は、互いに偏光方向が異なる偏光板であり、このため、１枚目の第１偏光板を透過した第１光源が発した光は、仕切り壁を越えて第２偏光板側へ漏光しても、第１偏光板と偏光方向が異なる第２偏光板を透過できない。このため、１枚目の第１偏光板を透過した第１光源が発した光は、仕切り壁を越えて第２偏光板側へ漏光しても、第２意匠を透過照明できない。
【０００５】
反対に、１枚目の第２偏光板を透過した第２光源が発した光は、仕切り壁を越えて第１偏光板側へ漏光しても、第２偏光板と偏光方向が異なる第１偏光板を透過できない。このため、１枚目の第２偏光板を透過した第２光源が発した光は、仕切り壁を越えて第１偏光板側へ漏光しても、第１意匠を透過照明できない。
【０００６】
したがって、仕切り壁で抑えることができない漏光を、互いに偏光方向が異なるそれぞれ２枚の第１，第２偏光板によって、抑えることができる。このため、互いに隣接する第１，第２意匠を、互いに異なる色で、漏光による混色を目立ち難くして表示することが可能となっている。
【特許文献１】特開２００８−８３２６５号公報
【発明の開示】
【発明が解決しようとする課題】
【０００７】
互いに隣接する第１，第２意匠を互いに異なる色で表示する液晶表示装置においても、互いに隣接する第１，第２意匠を、互いに異なる色で、互いに混色することを抑えつつ表示することが求められている。液晶表示装置は、互いに隣接する透光状態の第１，第２意匠とを表示する液晶パネルと、第１，第２光源と、仕切り壁と、を備える。
【０００８】
第１光源は、第１意匠を透過照明する光源であり、第２光源は、第１光源と異なる色の光を発する第２意匠を透過照明する光源である。仕切り壁は、第１光源が発した光が第２意匠へ漏光することを抑えるとともに、第２光源が発した光が第１意匠へ漏光することを抑えるものである。
【０００９】
しかしながら、液晶表示装置では、仕切り壁で抑えることができない漏光を、互いに偏光方向が異なるそれぞれ２枚の第１，第２偏光板によって抑える従来技術を適用することが困難である。これは、液晶パネルにおいて、液晶パネルの前後に互いに偏光方向が異なる偏光板が必要なため、それぞれ２枚の第１，第２偏光板を設けると、液晶パネルの前後に配置される偏光板を、第１，第２偏光板の偏光方向にそれぞれ対応させて、分離させる必要が生じるからである。さらには、第１，第２偏光板にそれぞれ対応させて、第１，第２意匠において液晶分子の配向方向を互いに変える必要も生じるからである。
【００１０】
本発明は、このような事情を考慮してなされたものであり、構成を複雑化しないで、互いに隣接する第１，第２意匠を互いに異なる色で、混色を目立ち難くして表示可能な液晶表示装置を提供することを目的とする。
【課題を解決するための手段】
【００１１】
本発明は上記目的を達成するため、以下の技術的手段を採用する。
【００１２】
請求項１の発明によれば、互いに隣接する透光状態の第１意匠と透光状態の第２意匠とを表示する液晶パネルと、液晶パネルの背後であって第１意匠の背後側に配置され、第１意匠を透過照明する第１光源と、液晶パネルの背後であって第２意匠の背後側に配置され、第２意匠を透過照明するとともに、第１光源と異なる色の光を発する第２光源と、液晶パネルの背後であって、第１光源と第２光源の間に配置され、第１光源が発した光が第２意匠へ漏光することを抑えるとともに、第２光源が発した光が第１意匠へ漏光することを抑える仕切り壁と、を備え、第１光源の発する光と第２光源の発する光とを、第１光源の発した光と第２光源の発した光とを混色させた光が、第１光源の発した光に対するよりも、第２光源の発した光に対する方が目立ち難くなるように設定し、仕切り壁を、第１意匠と第２意匠の間において、第１意匠よりも第２意匠に近接させて配置していることを特徴とする。
【００１３】
この構成によれば、第２光源は、第１光源と異なる色の光を発するとともに、第１光源の光と第２光源の光とを、第１光源の光と第２光源の光とを混色させた光が、第１光源の光に対するよりも、第２光源の光に対する方が目立ち難くなるように設定している。このため、この混色光によって透過照明された部位は、第１光源の光によって透過照明された第１意匠に対するよりも、第２光源の光によって透過照明された第２意匠に対する方が目立ち難くなっている。これにより、第２光源の光が第１意匠へ漏光して、第１光源の光と第２光源の光との混色光によって第１意匠が透過照明されるよりも、第１光源の光が第２意匠へ漏光して、この混色光によって第２意匠が透過照明されるほうが目立ち難くなっている。
【００１４】
また、この構成によれば、仕切り壁を、第１意匠と第２意匠の間において、第１意匠よりも第２意匠に近接させて配置している。このため、仕切り壁を第１意匠と第２意匠の中央に配置する場合と比較して、第１光源の光が第２意匠へ漏光することを犠牲にして、第２光源の光が第１意匠へ漏光することを抑えることができる。
【００１５】
以上により、第１光源の光が第２意匠へ漏光することによる目立ち難い漏光を犠牲にして、第２光源の光が第１意匠へ漏光することによる目立ち易い漏光を発生し難くしている。これにより、互いに隣接する第１，第２意匠を、それぞれ、互いに異なる色で、漏光による混色を目立ち難くして表示できる。
【００１６】
すなわち、第１光源の光と第２光源の光とを、第１光源の光と第２光源の光とを混色させた光が、第１光源の光に対するよりも、第２光源の光に対する方が目立ち難くなるように設定することと、仕切り壁を第１意匠よりも第２意匠に近接させて配置するという、構成を複雑化することなく、互いに隣接する第１，第２意匠を互いに異なる色で、混色を目立ち難くして表示できる。
【００１７】
請求項２の発明によれば、第１光源の発する光を白色光に設定し、第２光源の発する光を有色光に設定していることを特徴とする。
【００１８】
このため、第１光源の白色光と第２光源の有色光の混色光が、薄い有色光であるため、この混色光は、第１光源の無色の白色光に対するよりも、第２光源の有色光に対する方が目立ち難くなっている。これにより、上述の効果を得ることができる。
【００１９】
請求項３の発明によれば、第１光源が発した白色光を、第２光源が発した有色光と同系色の光に着色する着色層を、液晶パネルの裏面側であって第２意匠の裏面側に、形成していることを特徴とする。
【００２０】
この構成によれば、第２意匠へ漏光する第１光源の白色光が、液晶パネルの裏面側であって第２意匠の裏面側に形成された着色層によって、第２光源の有色光と同系色の光に着色される。このため、第１光源の白色光と第２光源の有色光の混色光が、有色光に対して薄くなることを抑えることができる。これにより、第１意匠側の目立ち易い漏光を発生し難くするために発生し易くしている第２意匠側の目立ち難い漏光を、つまり、第１光源の白色光が第２意匠へ漏光することによる目立ち難い漏光を、より目立ち難くできる。
【００２１】
したがって、構成を複雑化することなく、互いに隣接する第１，第２意匠を互いに異なる色で、混色をより目立ち難くして表示できる。
【００２２】
請求項４の発明によれば、仕切り壁と液晶パネルとの間に配置され、第１光源の発した光を拡散させて第１意匠へ均一に導くとともに、第２光源の発した光を拡散させて第２意匠へ均一に導く光拡散板を備え、仕切り壁の一端を、光拡散板に当接させていることを特徴とする。
【００２３】
この構成によれば、光拡散板によって第１，第２意匠を均一に透過照明できるため、これらの表示を均一にできる。また、この構成によれば、仕切り壁の一端を、光拡散板に当接させているため、仕切り壁と光拡散板の間からの漏光を無くすことができて、仕切り壁による漏光の抑制効果を高めることができる。したがって、光拡散板によって表示を均一にしている液晶表示装置において、構成を複雑化することなく、互いに隣接する第１，第２意匠を互いに異なる色で、混色をより目立ち難くして表示できる。
【００２４】
請求項５の発明によれば、仕切り壁が光拡散板に当接している部位において液晶パネルと光拡散板の間に、変形に対して反発弾性の小さい変形吸収部材を介在させていることを特徴とする。
【００２５】
各部品の公差や、各部品の組み付け公差等により、仕切り壁から光拡散板を介して液晶パネルに応力が加わる場合があり、これにより、液晶パネルの表示に歪などの不具合が生じる場合がある。このような場合においても、変形に対して反発弾性の小さい変形吸収部材を、仕切り壁が光拡散板に当接している部位において液晶パネルと光拡散板の間に介在させるようにしているため、仕切り壁から光拡散板を介して液晶パネルに加わる応力を抑えることができる。このため、上述の効果を得つつ、このような不具合の発生を抑えることができる。
【００２６】
請求項６の発明によれば、変形吸収部材を、黒色の遮光性部材としていることを特徴とする。
【００２７】
このため、変形吸収部材により漏光を抑えることができるため、光拡散板で拡散されて光拡散板を透過した第１，第２光源の光が、光拡散板と液晶パネルとの間の空間を通して漏光することを、抑えることができる。したがって、構成を複雑化することなく、互いに隣接する第１，第２意匠を互いに異なる色で、混色をより目立ち難くして表示できる。
【発明を実施するための最良の形態】
【００２８】
以下、本発明による液晶表示装置を、自動車に搭載される場合を例に図面に基づいて説明する。
【００２９】
（第１実施形態）
図１に示す液晶表示装置１は、液晶パネル２に表示された目盛２０と、文字２５とから、当該自動車のエンジン回転数を表示するように構成されている。目盛２０の内、目盛線２３および目盛線２３と対応する第１目盛２１（文字２５の内、数字「０」から数字「８」に対応する）は、図１と図２において黒色の背景２６を背景として、白色で表示される。目盛２０の内、目盛線２４および目盛線２４と対応する第２目盛２２（文字２５の内、数字「９」と数字「１０」に対応する）は、図１と図２において黒色の背景２６を背景として、赤色で表示される。
【００３０】
例えば、エンジン回転数が３０００回転／分の場合、図１に示す文字２５において数字が「３」より左側の第１目盛２１が、白色で表示され、文字２５において数字が「３」より右側の第１目盛２１が、背景２６の黒色と同じ表示状態とされる。エンジン回転数が４０００回転／分になると、文字２５において数字が「４」より左側の第１目盛２１が、白色で表示され、文字２５において数字が「４」より右側の第１目盛２１が、背景２６の黒色と同じ表示状態とされる。このように、エンジン回転数以下の領域の第１目盛２１が、白色で表示され、エンジン回転数より高回転領域の第１目盛２１が、背景２６の黒色と同じ表示状態とされる。このようにして、エンジン回転数を読み取り可能にしている。
【００３１】
一方、エンジン回転数にかかわらず、目盛線２３は、常時白色で表示され、第２目盛２２と目盛線２４は、常時赤色で表示され、文字２５は、常時白色で表示されるように構成されている。
【００３２】
図２において、目盛２１，２２の各幅Ｌ１、目盛２１，２２の間隔Ｌ２は、１ｍｍに設定されている。なお、目盛線２３，２４の間隔も間隔Ｌ２の１ｍｍに設定され、第１目盛２１同士の間隔、および、第２目盛２２同士の間隔も、１ｍｍに設定されている。
【００３３】
液晶表示装置１は、図３に示すように、液晶パネル２に加えて、液晶パネル２を挟み込む一対の偏光板３１，３２と、発光ダイオード５１，５２と、光拡散板６と、仕切り壁７と、制御装置９（図５）とを備えている。
【００３４】
液晶パネル２は、複数のドットセグメントをＸＹマトリックス状に形成したパネルであり、偏光板３１，３２と組み合わせることによって、各ドットセグメントは、電圧無印加時に遮光性となり、電圧印加時には透光性となるように構成されている。このように構成された液晶パネル２は、遮光状態の背景２６を背景として、透光状態の目盛２０と文字２５を表示するように構成されている。目盛２０の内、第１目盛２１と第２目盛２２は、互いに隣接し、目盛線２３，２４も、互いに隣接している。
【００３５】
なお、液晶パネル２を、複数のドットセグメントをＸＹマトリックス状に形成しないで、目盛２０と文字２５の各形状のセグメントを形成したパネルとすることも可能である。
【００３６】
以下、本発明の特徴である、第１目盛２１を透過照明する発光ダイオード５１の発する光の色、第２目盛２２を透過照明する発光ダイオード５２の発する光の色、仕切り壁７の配置を中心にして説明する。
【００３７】
発光ダイオード５１は、白色光を発する光源であり、液晶パネル２の背後であって第１目盛２１の背後側に配置され、透光状態の第１目盛２１を透過照明する。発光ダイオード５１は、第１目盛２１の円弧に沿って複数個配置されている。発光ダイオード５２は、発光ダイオード５２と異なる色の赤色光を発する光源であり、液晶パネル２の背後であって第２目盛２２の背後側に配置され、透光状態の第２目盛２２を透過照明する。発光ダイオード５２は、第２目盛２２の円弧に沿って複数個配置されている。
【００３８】
ここで、発光ダイオード５１の白色光と発光ダイオード５２の赤色光を混色させた光は、薄い赤色光となるが、混色させた薄い赤色光は、発光ダイオード５１の無色の白色光に対するよりも、発光ダイオード５２の赤色光に対して目立ち難くなっている。このようにするため、発光ダイオード５１の発する光を白色光に設定し、発光ダイオード５２の発する光を赤色光に設定している。
【００３９】
なお、目盛線２３，２４および文字２５の背後側にも、これらを透過照明する図示しない発光ダイオオードが配置されている。発光ダイオード５１，５２、目盛線２３，２４用の発光ダイオード、および、文字２５用の発光ダイオードは、プリント基板５３に実装され、液晶パネル２は、図示しない配線によってプリント基板５３に接続される。さらに、プリント基板５３には、液晶パネル２を制御し、発光ダイオード５１，５２、および、目盛線２３，２４用や文字２５用の各発光ダイオードの点燈・消燈を制御する制御装置９（図５）が実装されている。
【００４０】
光拡散板６は、例えば樹脂から、曇りガラス状に形成され、発光ダイオード５１，５２、および、目盛線２３，２４用や文字２５用の発光ダイオードと、液晶パネル２との間に配置されている。光拡散板６は、発光ダイオード５１の発した白色光を拡散させて透光状態の第１目盛２１へ均一に導くとともに、発光ダイオード５２の発した赤色光を拡散させて第２目盛２２へ均一に導くものである。また、光拡散板６は、目盛線２３，２４用や文字２５用の各発光ダイオードの発した光を拡散させて透光状態の目盛線２３，２４や文字２５へ均一に導くものでもある。この光拡散板６により、目盛２０や文字２５の表示を均一にできる。
【００４１】
図４は、図２に示す目盛２１，２２と、図３に示す仕切り壁７との配置関係を説明するための説明図であり、図３に対して、図２を想像線（２点差線）で合わせて示した説明用の図面である。仕切り壁７は、例えば樹脂から、遮光性を有するように形成され、光拡散板６の背後であって、発光ダイオード５１，５２の間に配置されている。仕切り壁７は、発光ダイオード５１が発した白色光が透光状態の第２目盛２２へ漏光することを抑えるとともに、発光ダイオード５２が発した赤色光が透光状態の第１目盛２１へ漏光することを抑えるものである。
【００４２】
仕切り壁７は、第１目盛２１と第２目盛２２の間において、第１目盛２１よりも第２目盛２２に近接させて配置される。具体的に、図４に示すように、仕切り壁７の右端が、第２目盛２２の左端と略一致する位置に配置され、仕切り壁７の左端が第１目盛２１の右端より右側に配置される。また、仕切り壁７の一端は、光拡散板６に当接している。
【００４３】
第１目盛２１は、請求項に記載の第１意匠に相当し、第２目盛２２は、請求項に記載の第２意匠に相当し、発光ダイオード５１は、請求項に記載の第１光源に相当し、発光ダイオード５２は、請求項に記載の第２光源に相当する。
【００４４】
図５において、制御装置９は、マイクロコンピュータ等から構成され、常時バッテリ１２から電力が供給されるとともに、イグニッションスイッチ１１が、そのオン／オフを検出可能に接続されている。また、制御装置９には、エンジン回転数を検出する回転センサ１０が、その検出信号を入力可能に接続され、この検出信号に応じて制御装置９により制御される液晶パネル２、および、発光ダイオード５１，５２等が接続されている。
【００４５】
上記構成において本実施形態の作動を以下で説明する。
【００４６】
図５において、イグニッションスイッチ１１がオンされると、制御装置９は、それを検出して作動を開始し、回転センサ１０からの検出信号に応じて、液晶パネル２を表示させ、発光ダイオード５１，５２等を点燈させる。
【００４７】
具体的に、図１において、回転センサ１０から得られたエンジン回転数以下の領域の第１目盛２１を透光状態にし、このエンジン回転数より高回転領域の第１目盛２１を不透光状態にするように、液晶パネル２は制御される。なお、エンジン回転数とは無関係に、目盛線２３，２４、第２目盛２２、および、文字２５を、常時、透光状態にするように、液晶パネル２は制御される。なお、発光ダイオード５１，５２、および、目盛線２３，２４用や文字２５用の各発光ダイオードは、エンジン回転数とは無関係に、点燈されている。
【００４８】
制御装置９による以上の制御によって、エンジン回転数以下の領域の第１目盛２１が、白色で表示され、エンジン回転数より高回転領域の第１目盛２１が、背景２６の黒色で表示される。このようにして、エンジン回転数を読み取り可能にしている。また、エンジン回転数とは無関係に、目盛線２３は、常時白色で表示され、第２目盛２２と目盛線２４は、常時赤色で表示され、文字２５は、常時白色で表示されている。
【００４９】
以下、目盛２１の全領域が透光状態になっている状態において、発光ダイオード５１，５２による目盛２１，２２の透過照明について説明する。
【００５０】
図４において、発光ダイオード５１が発した白色光は、光路Ｐ１１にしたがって、光拡散板６で均一にされ、偏向板３２を通して液晶パネル２の第１目盛２１を透過照明し、偏向板３１.を通して、白色の第１目盛２１が表示される。発光ダイオード５２が発した赤色光は、光路Ｐ２１にしたがって、光拡散板６で均一にされ、偏向板３２を通して液晶パネル２の第２目盛２２を透過照明し、偏向板３１を通して、赤色の第２目盛２２が表示される。
【００５１】
上述したように、仕切り壁７が、発光ダイオード５１の白色光が第２目盛２２へ漏光することを抑えるとともに、発光ダイオード５２の赤色光が第１目盛２１へ漏光することを抑えている。しかしながら、目盛２１，２２の間隔Ｌ２が１ｍｍで狭いため、発光ダイオード５１の白色光が、光路Ｐ１２にしたがって第２目盛２２へ漏光し、発光ダイオード５２の赤色光が、光路Ｐ２２にしたがって第１目盛２１へ漏光する。
【００５２】
光路Ｐ１２の漏光により、第１目盛２１と隣接する第２目盛２２は、光路Ｐ１２の漏光による白色光と光路Ｐ２１の赤色光とが混色した薄い赤色の混色光によって透過照明される。一方、光路Ｐ２２の漏光により、第２目盛２２と隣接する第１目盛２１は、光路Ｐ２２の漏光による赤色光と光路Ｐ１１の白色光とが混色した薄い赤色の混色光によって透過照明される。上述したように、薄い赤色光は、無色の白色光に対するよりも、赤色光に対して目立ち難くなっている。
【００５３】
このため、薄い赤色の混色光によって透過照明された目盛２１，２２は、発光ダイオード５１の白色光によって透過照明された第１目盛２１に対するよりも、発光ダイオード５２の赤色光によって透過照明された第２目盛２２に対する方が目立ち難くなっている。即ち、発光ダイオード５１の白色光によって透過照明された第１目盛２１に対する薄い赤色の混色光によって透過照明された第１目盛２１よりも、発光ダイオード５２の赤色光によって透過照明された第２目盛２２に対する薄い赤色の混色光によって透過照明された第２目盛２２の方が、目立ち難い。
【００５４】
したがって、発光ダイオード５２の赤色光が第１目盛２１へ漏光して、発光ダイオード５１の白色光と発光ダイオード５２の赤色光との薄赤色の混色光によって第１目盛２１が透過照明されるよりも、発光ダイオード５１の白色光が第２目盛２２へ漏光して、この薄赤色の混色光によって第２目盛２２が透過照明されるほうが目立ち難くなっている。
【００５５】
上述したように、仕切り壁７は、第１目盛２１と第２目盛２２の間において、第１目盛２１よりも第２目盛２２に近接させて配置され、図４に示すように、仕切り壁７の右端が、第２目盛２２の左端と略一致する位置に、配置されている。このため、仕切り壁７を第１目盛２１と第２目盛２２の中央に配置する場合と比較して、発光ダイオード５１の白色光が第２目盛２２へ漏光することを犠牲にして、発光ダイオード５２の赤色光が第１目盛２１へ漏光することを抑えることができる。
【００５６】
以上により、発光ダイオード５１の白色光が第２目盛２２へ漏光することによる目立ち難い漏光を犠牲にして、発光ダイオード５２の赤色光が第１目盛２１へ漏光することによる目立ち易い漏光を発生し難くしている。これにより、互いに隣接する目盛２１，２２を、それぞれ、互いに異なる白色と赤色で、漏光による混色を目立ち難くして表示できる。
【００５７】
すなわち、発光ダイオード５１の光を白色光とし、発光ダイオード５２の光を赤色光とし、および、仕切り壁７を目盛２１，２２の間において第１目盛２１よりも第２目盛２２に近接させて配置させるという、構成を複雑化することなく、互いに隣接する目盛２１，２２を、それぞれ、互いに異なる白色と赤色で、漏光による混色を目立ち難くして表示できる。
【００５８】
さらに、仕切り壁７の一端を、光拡散板６に当接させているため、仕切り壁７と光拡散板６の間からの漏光を無くすことができるため、仕切り壁７による漏光の抑制効果をより高めることができる。したがって、構成を複雑化することなく、互いに隣接する目盛２１，２２を、それぞれ、互いに異なる白色と赤色で、漏光による混色をより目立ち難くして表示できる。
【００５９】
（第２実施形態）
上述の第１実施形態による液晶表示装置１に対して、図６に示すように、第２実施形態による液晶表示装置１Ａでは、着色層４とウレタン部材８が追加されている。
【００６０】
着色層４は、発光ダイオード５１が発した白色光を、発光ダイオード５２が発した赤色光と同系色の光に着色するものである。着色層４は、液晶パネル２の裏面側であって第２目盛２２の裏面側に、つまり、図６に示すように、偏光板３２の裏面側であって第２目盛２２の裏面側に、第２目盛２２の左端と略一致する位置まで延出させて形成されている。
【００６１】
ウレタン部材８は、変形に対して反発弾性の小さい変形吸収部材であり、且つ、黒色の遮光性部材であり、例えば、反発弾性の小さい軟質発泡ウレタンから形成されている。ウレタン部材８は、仕切り壁７が光拡散板６に当接している部位において偏光板３２と光拡散板６の間に、介在させるようにして配置される。ウレタン部材８は、ウレタン部材８の右端が第２目盛２２の左端と略一致する位置に配置され、ウレタン部材８の左端が第１目盛２１の右端より右側に配置されている。
【００６２】
着色層４が白色光を赤色光と同系色の光に着色するため、光路Ｐ１２にしたがって第２目盛２２へ漏光する発光ダイオード５１の白色光が、発光ダイオード５２の赤色光と同系色の光に着色層４で着色される。このため、発光ダイオード５１の白色光と発光ダイオード５２の赤色光の混色光が、赤色光に対して薄くなることを抑えることができる。このため、第１目盛２１側の目立ち易い漏光を発生し難くするために、発生し易くしている第２目盛２２側の目立ち難い漏光を、つまり、光路Ｐ１２にしたがって発光ダイオード５１の白色光が第２目盛２２へ漏光することによる目立ち難い漏光を、より目立ち難くできる。したがって、互いに隣接する目盛２１，２２を、それぞれ、互いに異なる白色と赤色で、漏光による混色をより目立ち難くして表示できる。
【００６３】
ウレタン部材８は、黒色の遮光性部材であるため、光拡散板６で拡散されて光拡散板６を透過した発光ダイオード５１，５２の光が、光拡散板６と偏光板３２との間の空間を通して漏光することを、抑えることができる。したがって、互いに隣接する目盛２１，２２を、それぞれ、互いに異なる白色と赤色で、漏光による混色をより目立ち難くして表示できる。
【００６４】
各部品の公差や、各部品の組み付け公差等により、仕切り壁７から光拡散板６や偏光板３２を介して液晶パネル２に応力が加わる場合があり、これにより、液晶パネル２の表示に歪などの不具合が生じる場合がある。これに対して、本実施形態では、ウレタン部材８を、仕切り壁７が光拡散板６に当接している部位において偏光板３２と光拡散板６の間に介在させるようにしている。
【００６５】
このため、仕切り壁７から光拡散板６を介して液晶パネル２に加わる応力を、ウレタン部材８の変形により吸収し、且つ、ウレタン部材８が、変形に対して反発弾性が小さいため、ウレタン部材８の変形によってウレタン部材８から液晶パネル２に応力が加わることを抑えることができる。このため、このような不具合の発生を抑えることができる。
【００６６】
（変形例）
上述の実施形態では、発光ダイオード５１の発する光を白色光に設定し、発光ダイオード５２の発する光を赤色光に設定したが、これに限らない。例えば、発光ダイオード５１の発する光を白色光に設定し、発光ダイオード５２の発する光を緑色光に設定することも可能である。この場合でも、発光ダイオード５１の白色光と発光ダイオード５２の緑色光を混色させた光は、薄い緑色光となるが、混色させた薄い緑色光は、発光ダイオード５１の無色の白色光に対するよりも、発光ダイオード５２の緑色光に対して目立ち難くなっている。このため、上述と同様の効果を得ることができる。
【００６７】
また、発光ダイオード５１の発する光を白色光に設定し、発光ダイオード５２の発する光を青色光に設定することも可能である。この場合でも、発光ダイオード５１の白色光と発光ダイオード５２の青色光を混色させた光は、薄い青色光となるが、混色させた薄い青色光は、発光ダイオード５１の無色の白色光に対するよりも、発光ダイオード５２の青色光に対して目立ち難くなっている。このため、上述と同様の効果を得ることができる。
【００６８】
また、発光ダイオード５１の発する光を白色光に設定し、発光ダイオード５２の発する光を赤色や緑色や青色以外の有色光に設定することも可能である。この場合でも、上述と同様の効果を得ることができる。
この場合図２の形体では、着色層４を発光ダイオード５２の発する光と同系色に設定すれば、さらに混色を目立ち難くすることができる。
【００６９】
また、発光ダイオード５１の発する光と発光ダイオード５２の発する光とを、発光ダイオード５１の発した光と発光ダイオード５２の発した光とを混色させた光が、発光ダイオード５１の発した光に対するよりも、発光ダイオード５２の発した光に対する方が目立ち難くなるように設定する限り、上述の例に限らない。この場合でも、上述と同様の効果を得ることができる。発光ダイオード５１側が白色で無い場合は、発光ダイオード５１側の偏光板３２にも着色層４と同様に、発光ダイオード５１と同系色を設定すれば、さらに混色を目立ち難くすることができる。
【００７０】
なお、図示には無いが、住友スリーエム社製のＢＥＦなどのライトコントロールシートを光拡散板の上に設置することにより、液晶表示全体の照明輝度向上や輝度むら低減を図る場合でも、そのシートの特性より混色がさらに悪化するところを、本考案の手法により目立ち難くさせることができる。
【図面の簡単な説明】
【００７１】
【図１】本発明の第１実施形態による液晶表示装置の正面図である。
【図２】図１中のＩＩ部の拡大図である。
【図３】図１中のＩＩＩ−ＩＩＩ線断面拡大図である。
【図４】図２に示す目盛と図３に示す仕切り壁の配置関係の説明図である。
【図５】本発明の第１実施形態による液晶表示装置の回路構成図である。
【図６】本発明の第２実施形態による液晶表示装置において、目盛と仕切り壁の配置関係の説明図である。
【符号の説明】
【００７２】
１，１Ａ  液晶表示装置、２  液晶パネル、２０  目盛、２１  第１目盛（第１意匠）
２２  第２目盛（第２意匠）、２３，２４  目盛線、２５  文字、２６  背景
３１，３２  偏光板、４  着色層、５１  発光ダイオード（第１光源）
５２  発光ダイオード（第２光源）、５３  プリント基板、６  光拡散板
７  仕切り壁、８  ウレタン部材（変形吸収部材）、９  制御装置、１０  回転センサ
１１  イグニッションスイッチ、１２  バッテリ、Ｐ１１〜Ｐ２２  光路
【図１】
2010085460.tif 000003
【図２】
2010085460.tif 000004
【図３】
2010085460.tif 000005
【図４】
2010085460.tif 000006
【図５】
2010085460.tif 000007
【図６】
2010085460.tif 000008